【手続補正書】
【提出日】平成19年6月7日(2007.6.7)
【手続補正１】
【補正対象書類名】明細書
【補正対象項目名】特許請求の範囲
【補正方法】変更
【補正の内容】
【特許請求の範囲】
【請求項１】  音声情報を入力する入力工程と、
前記音声情報から韻律情報を取得する第１取得工程と、
前記音声情報の発声環境の時間的変動を推定するための情報を含む推定要因を取得する第２取得工程と、
前記韻律情報と前記推定要因とを用いて音声合成時の韻律を推定するための韻律推定モデルを学習する学習工程とを備えることを特徴とする音声処理方法。
【請求項２】  前記第１取得工程は、音素毎に前記韻律情報を取得することを特徴とする請求項１に記載の音声処理方法。
【請求項３】  前記第１取得工程は、継続時間長、基本周波数、パワーの何れかを前記韻律情報として取得することを特徴とする請求項１又は２に記載の音声処理方法。
【請求項４】  前記音声情報の発声環境の時間的変動を推定するための情報は、前記音声情報の発声日時を示す情報であることを特徴とする請求項１及至３のいずれか１項に記載の音声処理方法。
【請求項５】  前記第２取得工程は、前記音声情報から、アクセント情報を前記推定要因の一つとして取得することを特徴とする請求項１及至４のいずれか１項に記載の音声処理方法。
【請求項６】  前記第２取得工程は、前記音声情報から、モーラ情報を前記推定要因の一つとして取得することを特徴とする請求項１及至５のいずれか１項に記載の音声処理方法。
【請求項７】  文字情報を解析する解析工程と、
前記文字情報に対応する音声素片を取得する取得工程と、
発声環境の時間的変動を推定するための情報を含む、韻律推定のための推定要因を設定する設定工程と、
前記推定要因と韻律情報を推定するための韻律推定モデルとを用いて前記音声素片の韻律情報を推定する推定工程とを備えることを特徴とする音声処理方法。
【請求項８】  前記韻律推定モデルは、継続時間長、基本周波数、パワーの何れかを推定することを特徴とする請求項７に記載の音声処理方法。
【請求項９】  前記発声環境の時間的変動を推定するための情報は、前記音声素片の発声日時を示す情報であることを特徴とする請求項７又は８に記載の音声処理方法。
【請求項１０】  前記設定工程は、前記文字情報のアクセント情報を前記推定要因の一つとして設定することを特徴とする請求項７及至９のいずれか１項に記載の音声処理方法。
【請求項１１】  前記設定工程は、前記文字情報のモーラ情報を前記推定要因の一つとして設定することを特徴とする請求項７及至１０のいずれか１項に記載の音声処理方法。
【請求項１２】  更に、前記取得工程で取得した音声素片と前記推定工程で推定した韻律情報とを用いて前記文字情報に対応する音声を合成する合成工程を含むことを特徴とする請求項７及至１１のいずれか１項に記載の音声処理方法。
【請求項１３】  音声情報を入力する入力手段と、
前記音声情報から韻律情報を取得する第１取得手段と、
前記音声情報の発声環境の時間的変動を推定するための情報を含む推定要因を取得する第２取得手段と、
前記韻律情報と前記推定要因とを用いて音声合成時の韻律を推定するための韻律推定モデルを学習する学習手段とを備えることを特徴とする音声処理装置。
【請求項１４】  前記第１取得手段は、音素毎に前記韻律情報を取得することを特徴とする請求項１３に記載の音声処理装置。
【請求項１５】  前記第１取得手段は、継続時間長、基本周波数、パワーの何れかを前記韻律情報として取得することを特徴とする請求項１３又は１４に記載の音声処理装置。
【請求項１６】  前記音声情報の発声環境の時間的変動を推定するための情報は、前記音声情報の発声日時を示す情報であることを特徴とする請求項１３及至１５のいずれか１項に記載の音声処理装置。
【請求項１７】  前記第２取得手段は、前記音声情報から、アクセント情報を前記推定要因の一つとして取得することを特徴とする請求項１３及至１６のいずれか１項に記載の音声処理装置。
【請求項１８】  前記第２取得手段は、前記音声情報から、モーラ情報を前記推定要因の一つとして取得することを特徴とする請求項１３及至１７のいずれか１項に記載の音声処理装置。
【請求項１９】  文字情報を解析する解析手段と、
前記文字情報に対応する音声素片を取得する取得手段と、
発声環境の時間的変動を推定するための情報を含む、韻律推定のための推定要因を設定する設定手段と、
前記推定要因と韻律情報を推定するための韻律推定モデルとを用いて前記音声素片の韻律情報を推定する推定手段とを備えることを特徴とする音声処理装置。
【請求項２０】  前記韻律推定モデルは、継続時間長、基本周波数、パワーの何れかを推定することを特徴とする請求項１９に記載の音声処理装置。
【請求項２１】  前記発声環境の時間的変動を推定するための情報は、前記音声素片の発声日時を示す情報であることを特徴とする請求項１９又は２０に記載の音声処理装置。
【請求項２２】  前記設定手段は、前記文字情報のアクセント情報を前記推定要因の一つとして設定することを特徴とする請求項１９及至２１のいずれか１項に記載の音声処理装置。
【請求項２３】  前記設定手段は、前記文字情報のモーラ情報を前記推定要因の一つとして設定することを特徴とする請求項１９及至２２のいずれか１項に記載の音声処理装置。
【請求項２４】  更に、前記取得手段で取得した音声素片と前記推定手段で推定した韻律情報とを用いて前記文字情報に対応する音声を合成する合成手段を含むことを特徴とする請求項１９及至２２のいずれか１項に記載の音声処理装置。
【請求項２５】  請求項１乃至１２のいずれか１項に記載の音声処理方法をコンピュータによって実現するための制御プログラムを格納したことを特徴とするコンピュータ読み取り可能な記憶媒体。
【手続補正２】
【補正対象書類名】明細書
【補正対象項目名】０００７
【補正方法】変更
【補正の内容】
【０００７】
【課題を解決するための手段】
上記の目的を達成するための本発明の一態様による音声処理方法は、
音声情報を入力する入力工程と、
前記音声情報から韻律情報を取得する第１取得工程と、
前記音声情報の発声環境の時間的変動を推定するための情報を含む推定要因を取得する第２取得工程と、
前記韻律情報と前記推定要因とを用いて音声合成時の韻律を推定するための韻律推定モデルを学習する学習工程とを備える。
【手続補正３】
【補正対象書類名】明細書
【補正対象項目名】０００８
【補正方法】変更
【補正の内容】
【０００８】
上記の目的を達成するための本発明の他の態様による音声処理方法は、
文字情報を解析する解析工程と、
前記文字情報に対応する音声素片を取得する取得工程と、
発声環境の時間的変動を推定するための情報を含む、韻律推定のための推定要因を設定する設定工程と、
前記推定要因と韻律情報を推定するための韻律推定モデルとを用いて前記音声素片の韻律情報を推定する推定工程とを備える。
【手続補正４】
【補正対象書類名】明細書
【補正対象項目名】０００９
【補正方法】変更
【補正の内容】
【０００９】
上記の目的を達成するための本発明の他の態様による音声処理装置は、
音声情報を入力する入力手段と、
前記音声情報から韻律情報を取得する第１取得手段と、
前記音声情報の発声環境の時間的変動を推定するための情報を含む推定要因を取得する第２取得手段と、
前記韻律情報と前記推定要因とを用いて音声合成時の韻律を推定するための韻律推定モデルを学習する学習手段とを備える。
【手続補正５】
【補正対象書類名】明細書
【補正対象項目名】００１０
【補正方法】変更
【補正の内容】
【００１０】
上記の目的を達成するための本発明の更に他の態様による音声処理装置は、
文字情報を解析する解析手段と、
前記文字情報に対応する音声素片を取得する取得手段と、
発声環境の時間的変動を推定するための情報を含む、韻律推定のための推定要因を設定する設定手段と、
前記推定要因と韻律情報を推定するための韻律推定モデルとを用いて前記音声素片の韻律情報を推定する推定手段とを備える。